(57)【要約】【課題】本発明はプラズマディスプレイパネル駆動の時高速アドレッシングすることと同時にディスプレイするデータに適応的に電力消費を最小化することができるプラズマディスプレイパネルの駆動装置を提供する。【解決手段】  本発明に係るプラズマディスプレイパネルに備えた複数のアドレス電極にデータ信号を印加する駆動装置は入力されたデータによって前記アドレス電極にデータ信号を印加する複数のデータＩＣ、アドレス電極に印加した電圧を回収して充電される複数のエネルギー回収回路を備える。複数のエネルギー回収回路にそれぞれ充電された電圧は前記エネルギー回収回路が接続されたデータＩＣに入力されるデータ変化量によって変化する。【選択図】図５Ａ
2008015533.tif 000002
【特許請求の範囲】
【請求項１】
プラズマディスプレイパネルに備えた複数のアドレス電極にデータ信号を印加する駆動装置において、
入力されたデータによって前記アドレス電極にデータ信号を印加する複数のデータＩＣと、
前記アドレス電極に印加した電圧を回収して充電される複数のエネルギー回収回路を含み、
前記複数のエネルギー回収回路にそれぞれ充電された電圧は前記エネルギー回収回路が接続されたデータＩＣに入力されるデータ変化量によって変化することを特徴とするプラズマディスプレイパネルの駆動装置。
【請求項２】
前記複数のエネルギー回収回路の各々は、一つ以上の前記データＩＣで構成されたデータＩＣグループに接続されたことを特徴とする、請求項１記載のプラズマディスプレイパネルの駆動装置。
【請求項３】
前記データ変化量は、前記データ信号がハイレベルからローレベルへ変化する量、または、ローレベルからハイレベルへ変化する量であることを特徴とする、請求項１記載のプラズマディスプレイパネルの駆動装置。
【請求項４】
前記データＩＣに入力されるデータの変化量が少ないほど、前記データＩＣと接続されたエネルギー回収回路に充電される電圧が増加することを特徴とする、請求項１記載のプラズマディスプレイパネルの駆動装置。
【請求項５】
前記データＩＣに入力されるデータが変化する場合、前記データＩＣと接続されたエネルギー回収回路に充電された電圧がアドレス電極に供給されることを特徴とする、請求項１記載のプラズマディスプレイパネルの駆動装置。
【請求項６】
前記エネルギー回収回路は、第１電圧から第２電圧まで漸進的に立ち下がる第１信号、及び、前記第１信号に連続して前記第２電圧から前記第１電圧と実質的に同一な第３電圧まで漸進的に上昇する第２信号を前記データＩＣに供給することを特徴とする、請求項１記載のプラズマディスプレイパネルの駆動装置。
【請求項７】
前記データＩＣに入力されるデータの変化がない場合、前記エネルギー回収回路に充電された電圧はアドレス電極に供給されないことを特徴とする、請求項１記載のプラズマディスプレイパネルの駆動装置。
【請求項８】
前記エネルギー回収回路は
前記アドレス電極から回収される電圧を充電するエネルギー回収用キャパシターと、
前記データＩＣに接続されて前記パネルとともに共振回路を形成するインダクターと、前記エネルギー回収用キャパシターと前記インダクターの間に並列で接続される第１、３スイッチと、
アドレス電圧源と前記データＩＣの間に接続される第２スイッチで構成されることを特徴とする、請求項１記載のプラズマディスプレイパネルの駆動装置。
【請求項９】
前記インダクターと前記第２スイッチの共通端は前記データＩＣの一端にのみ接続されることを特徴とする、請求項８記載のプラズマディスプレイパネルの駆動装置。
【請求項１０】
前記インダクターと前記第２スイッチの共通端にダイオード一端が接続されて、前記ダイオード他端はグラウンドに接続されることを特徴とする、請求項１記載のプラズマディスプレイパネルの駆動装置。
【請求項１１】
プラズマディスプレイパネルに備えた複数のアドレス電極にデータ信号を印加する駆動装置において、
入力されたデータによって前記アドレス電極にデータ信号を印加する複数のデータＩＣと、
前記アドレス電極に印加した電圧を回収して充電される複数のエネルギー回収回路を含み、
前記複数のエネルギー回収回路はそれぞれアドレス電極に印加した電圧を回収するための第１スイッチと、
前記アドレス電極から回収された電圧を充電するエネルギー回収用キャパシターと、
前記データＩＣに接続されて前記パネルとともに共振回路を形成するインダクターと、アドレス電圧源と前記データＩＣの間に接続される第２スイッチを備えて、
前記複数のエネルギー回収回路にそれぞれ充電された電圧は前記エネルギー回収回路が接続されたデータＩＣに入力されるデータ変化量によって変化することを特徴とするプラズマディスプレイパネルの駆動装置。
【請求項１２】
前記第１スイッチは前記アドレス電極から電圧を回収及び前記エネルギー回収用キャパシターから前記パネルに電圧を供給する経路上に位置することを特徴とする、請求項１１記載のプラズマディスプレイパネルの駆動装置。
【請求項１３】
前記第１スイッチの一端は前記エネルギー回収用キャパシターに接続されて前記第１スイッチの他端はグラウンドに接続されることを特徴とする、請求項１１記載のプラズマディスプレイパネルの駆動装置。
【請求項１４】
前記複数のエネルギー回収回路それぞれは一つ以上の前記データＩＣで構成されたデータＩＣグループに接続されたことを特徴とする、請求項１１記載のプラズマディスプレイパネルの駆動装置。
【請求項１５】
前記データ変化量は、前記データ信号がハイレベルからローレベルへ変化する量、または、ローレベルからハイレベルへ変化する量であることを特徴とする、請求項１１記載のプラズマディスプレイパネルの駆動装置。
【請求項１６】
前記データＩＣに入力されるデータの変化量が少ないほど、前記データＩＣと接続されたエネルギー回収回路に充電される電圧が増加することを特徴とする、請求項１１記載のプラズマディスプレイパネルの駆動装置。
【請求項１７】
前記データＩＣに入力されるデータが変化する場合、前記データＩＣと接続されたエネルギー回収回路に充電された電圧がアドレス電極に供給されることを特徴とする、請求項１１記載のプラズマディスプレイパネルの駆動装置。
【請求項１８】
前記エネルギー回収回路は、第１電圧から第２電圧まで漸進的に立ち下がる第１信号、及び、前記第１信号に連続して前記第２電圧で前記第１電圧と実質的に同一な第３電圧まで漸進的に上昇する第２信号を前記データＩＣに供給することを特徴とする、請求項１１記載のプラズマディスプレイパネルの駆動装置。
【請求項１９】
前記データＩＣに入力されるデータの変化がない場合、前記エネルギー回収回路に充電された電圧はアドレス電極に供給されないことを特徴とする、請求項１１記載のプラズマディスプレイパネルの駆動装置。
【請求項２０】
前記インダクターと前記第２スイッチの共通端にダイオード一端が接続されて、前記ダイオード他端はグラウンドに接続されることを特徴とする、請求項１１記載のプラズマディスプレイパネルの駆動装置。
【発明の詳細な説明】
【技術分野】
【０００１】
本発明はプラズマディスプレイパネルの駆動装置に関する。
【背景技術】
【０００２】
一般的にプラズマディスプレイパネルは上部基板と下部基板の間に形成された隔壁が一つの単位セルを成すことで、各セル内にはネオン（Ｎｅ）、ヘリウム（Ｈｅ）またはネオン及びヘリウムの混合気体（Ｎｅ＋Ｈｅ）のような主放電気体と少量のキセノンを含む不活性ガスが充填されている。高周波電圧によって放電される時、不活性ガスは真空紫外線（Ｖａｃｃｕｍ Ｕｌｔｒａｖｉｏｌｅｔ ｒａｙｓ）を発生して、隔壁の間に形成された蛍光体を発光させて画像が具現される。このようなプラズマディスプレイパネルは薄く軽い構成が可能なので次世代表示装置として脚光を浴びている。
【０００３】
一般的に、プラズマディスプレイパネルは画像を表示する単位フレームが複数のサブフィールドで分けられて時分割駆動される。また、分割された各サブフィールドは全体放電セルを初期化するリセット区間、全体放電セルの内でオン（ＯＮ）しなければならないセルとオンしてはいけないセルを区分するアドレス区間、及び、オンしなければならないセルとして選択された放電セル内で各サブフィールド別に割り当てされた階調加重値によってサステイン放電を遂行するサステイン区間に分けられる。
【０００４】
前記アドレス区間の間、表示すべきデータに基づいて前記オンしなければならないセルのデータ電極にデータ信号を印加するが、データの量が非常に大きく、データ信号の印加に電力が多く消費される問題があった。
【発明の開示】
【発明が解決しようとする課題】
【０００５】
本発明の目的はプラズマディスプレイパネル駆動の時に高速アドレッシングをすることと同時にディスプレイするデータに適応的に電力消費を最小化することができるプラズマディスプレイパネルの駆動装置を提供することにある。
【課題を解決するための手段】
【０００６】
本発明の一つの実施形態によるプラズマディスプレイパネルの駆動装置は入力されたデータによってアドレス電極にデータ信号を印加する複数のデータＩＣ、アドレス電極に印加した電圧を回収して充電される複数のエネルギー回収回路を含み、複数のエネルギー回収回路にそれぞれ充電された電圧は前記エネルギー回収回路が接続されたデータＩＣに入力されるデータ変化量によって変化する。
【０００７】
複数のエネルギー回収回路それぞれは一つ以上のデータＩＣで構成されたデータＩＣグループに接続される。
【０００８】
データ変化量はデータ信号がハイレベルからローレベルへ変化する量、または、ローレベルからハイレベルへ変化する量である。
【０００９】
データＩＣに入力されるデータの変化量が少ないほど、データＩＣと接続されたエネルギー回収回路に充電される電圧が増加する。
【００１０】
本発明の一つの実施形態によるプラズマディスプレイパネルの駆動装置は入力されたデータによって前記アドレス電極にデータ信号を印加する複数のデータＩＣ、アドレス電極に印加した電圧を回収して充電される複数のエネルギー回収回路を含み、複数のエネルギー回収回路はそれぞれアドレス電極に印加した電圧を回収するための第１スイッチ、アドレス電極から回収された電圧を充電するエネルギー回収用キャパシター、データＩＣに接続されて前記パネルとともに共振回路を形成するインダクター、及びアドレス電圧源と前記データＩＣ の間に接続される第２スイッチを備えて、複数のエネルギー回収回路にそれぞれ充電された電圧は前記エネルギー回収回路が接続されたデータＩＣに入力されるデータ変化量によって変化する。
【００１１】
第１スイッチは前記アドレス電極から電圧を回収及び前記エネルギー回収用キャパシターから前記パネルに電圧を供給する経路上に位置する。
【００１２】
第１スイッチの一端は前記エネルギー回収用キャパシターの一端に接続されて前記第１スイッチの他端はグラウンドに接続される。
【発明の効果】
【００１３】
本発明はプラズマディスプレイパネル駆動の時高速アドレッシングをすることと同時にディスプレイするデータに適応的に電力消費を最小化することができる。
【発明を実施するための最良の形態】
【００１４】
以下では本発明に係る具体的な実施形態を添付された図面を参照して説明する。
【００１５】
図１は本発明に係るプラズマディスプレイパネルに対する一つの実施形態の斜視図である。
【００１６】
図１に示されるように、プラズマディスプレイパネルは上部基板１０上に形成される維持電極対であるスキャン電極１１及びサステイン電極１２、下部基板２０上に形成されるアドレス電極２２を含む。
【００１７】
前記維持電極対１１，１２は通常インジウムティンオキサイド（Ｉｎｄｉｕｍ−Ｔｉｎ−Ｏｘｉｄｅ；ＩＴＯ）に形成された透明電極１１ａ、１２ａとバス電極１１ｂ、１２ｂを含み、前記バス電極１１ｂ、１２ｂは銀（Ａｇ）、クロム（Ｃｒ）などの金属またはクロム/銅/クロム（Ｃｒ／Ｃｕ／Ｃｒ）の積層型やクロム/アルミニウム/クロム（Ｃｒ／Ａｌ／Ｃｒ）の積層型で形成することができる。バス電極１１ｂ、１２ｂは透明電極１１ａ、１２ａ上に形成されて、抵抗が高い透明電極１１ａ、１２ａによる電圧降下を低減する役目をする。
【００１８】
一方、本発明の一つの実施形態によれば維持電極対１１、１２は透明電極１１ａ、１２ａとバス電極１１ｂ、１２ｂが積層された構造だけでなく、透明電極１１ａ、１２ａ無しにバス電極１１ｂ、１２ｂだけでも構成されることができる。このような構造は透明電極１１ａ、１２ａを使わないので、パネル製造の単価を低下させることができる長所がある。このような構造に使われるバス電極１１ｂ、１２ｂは上に列挙した材料以外に感光性材料等多様な材料が可能である。
【００１９】
スキャン電極１１及びサステイン電極１２の透明電極１１ａ、１２ａとバス電極１１ｂ、１１ｃの間には上部基板１０の外部から発生する外部光を吸収して反射を低減する光遮断の機能と上部基板１０のピュアリティ（Ｐｕｒｉｔｙ）及びコントラストを向上させる機能をするブラックマトリックス（Ｂｌａｃｋ Ｍａｔｒｉｘ、ＢＭ、１５）が配列される。
【００２０】
本発明の一つの実施形態によるブラックマトリックスは上部基板１０に形成され、隔壁２１と重畳される位置に形成される第１ブラックマトリックス１５と、透明電極１１ａ、１２ａとバス電極１１ｂ、１２ｂの間に形成される第２ブラックマトリックス１１ｃ、１２ｃで構成される。ここで、第１ブラックマトリックス１５とブラック層またはブラック電極層とも言う第２ブラックマトリックス１１ｃ、１２ｃは形成過程で同時に形成されて物理的に接続されてもよいし、同時に形成されず物理的に接続されないこともある。
【００２１】
また、物理的に接続されて形成される場合、第１ブラックマトリックス１５と第２ブラックマトリックス１１ｃ、１２ｃは同一な材質で形成されるが、物理的に分離して形成される場合には別々の材質で形成してもよい。
【００２２】
スキャン電極１１とサステイン電極１２が並びに形成された上部基板１０には上部誘電体層１３と保護膜１４が積層される。上部誘電体層１３には放電によって発生された荷電粒子が蓄積されて、維持電極対１１、１２を保護する機能を遂行することができる。保護膜１４はガス放電の時発生された荷電粒子のスパッタリングから上部誘電体層１３を保護して、２次電子の放出効率を高めるようになる。
【００２３】
また、アドレス電極２２はスキャン電極１１及びサステイン電極１２と交差される方向に形成される。また、アドレス電極２２が形成された下部基板２０上には下部誘電体層２３と隔壁２１が形成される。
【００２４】
また、下部誘電体層２３と隔壁２１の表面には蛍光体層が形成される。隔壁２１は縦隔壁２１ａと横隔壁２１ｂが閉鎖型に形成されて、放電セルを物理的に区分して、放電によって生成された紫外線と可視光が隣接した放電セルに漏洩することを防止する。
【００２５】
本発明の一つの実施形態には図１に示された隔壁２１の構造だけではなく、多様な形象の隔壁２１の構造も可能である。例えば、縦隔壁２１ａと横隔壁２１ｂの高さが異なる段差型隔壁構造、縦隔壁２１ａまたは横隔壁２１ｂの内少なくとも一つ以上に排気通路で使用可能なチャンネル（Ｃｈａｎｎｅｌ）が形成されたチャンネル型隔壁構造、縦隔壁２１ａまたは横隔壁２１ｂの内一つ以上に溝（Ｈｏｌｌｏｗ）が形成された溝型隔壁構造などが可能である。
【００２６】
ここで、段差型隔壁構造の場合には横隔壁２１ｂが縦隔壁２１ａよりも高いことが望ましく、チャンネル型隔壁構造や溝型隔壁構造の場合には横隔壁２１ｂにチャンネルが形成される、もしくは溝が形成されることが望ましい。
【００２７】
一方、本発明の一つの実施形態ではＲ、Ｇ 及びＢ放電セルそれぞれが同一な線上に配列されることで図示及び説明されているが、他の形態で配列されることも可能である。例えば、Ｒ、Ｇ及びＢ放電セルが三角形の形態で配列されるデルタ（Ｄｅｌｔａ）タイプの配列も可能である。また、放電セルの形態も四角形の形態だけでなく、五角形、六角形などの多様な多角形の形態も可能である。
【００２８】
また、前記蛍光体層はガス放電の時発生された紫外線によって発光されて赤色（Ｒ）、緑色（Ｇ）または青色（Ｂ）の内何れか一つの可視光を発生するようになる。ここで、上部/下部基板１０、２０と隔壁２１の間に設置された放電空間には放電のためのＨｅ＋Ｘｅ、 Ｎｅ＋Ｘｅ 及びＨｅ＋Ｎｅ＋Ｘｅなどの不活性混合ガスが注入される。
【００２９】
図２は本実施形態のプラズマディスプレイパネルの電極配置を示す。プラズマディスプレイパネルを構成する複数の放電セルは、図２に示すようにマトリックス形態に配置されることが望ましい。複数の放電セルはそれぞれスキャン電極ライン（Ｙ１乃至Ｙｍ）、サステイン電極ライン（Ｚ１乃至Ｚｍ）及びアドレス電極ライン（Ｘ１乃至Ｘｎ）の交差部に設置される。スキャン電極ライン（Ｙ１乃至Ｙｍ）は順に駆動される場合もあり、同時に駆動される場合もある。サステイン電極ライン（Ｚ１乃至Ｚｍ）は同時に駆動される。アドレス電極ライン（Ｘ１乃至Ｘｎ）は奇数番目ラインと偶数番目ラインに分割されて駆動される場合もあり、順に駆動される場合もある。
【００３０】
図２に示された電極配置は本発明に係るプラズマパネルの電極配置の一例に過ぎないので、本発明は図２に示されたプラズマディスプレイパネルの電極配置及び駆動方式に限定されない。例えば、前記スキャン電極ライン（Ｙ１乃至Ｙｍ）の内で２個のスキャン電極ラインが同時にスキャニングされるデュアルスキャン（ｄｕａｌ ｓｃａｎ）方式も可能である。また、前記アドレス電極ライン（Ｘ１乃至Ｘｎ）はパネルの中央部分で上、下に分割されて駆動されることもできる。
【００３１】
図３は一つのフレーム（ｆｒａｍｅ）を複数のサブフィールドで分けて時分割駆動させる方法に対する一例を示すタイミング図である。単位フレームは時分割階調表示を実現するために所定個数、例えば８個のサブフィールド（ＳＦ１、．．．、ＳＦ８）に分割されることができる。また、各サブフィールド（ＳＦ１、．．．、ＳＦ８）はリセット区間（図示せず）と、アドレス区間（Ａ１、．．．、Ａ８）及び、サステイン区間（Ｓ１、．．．、Ｓ８）に分割される。
【００３２】
ここで、本発明の一つの実施形態によればリセット区間は複数個のサブフィールドの内で少なくとも一つを省略してもよい。例えば、リセット区間は最初のサブフィールドのみで存在するようにする、または、最初のサブフィールドと全体サブフィールドの内で中間位のサブフィールドのみで存在するようにしてもよい。
【００３３】
各アドレス区間（Ａ１、．．．、Ａ８）では、アドレス電極（Ｘ）に表示データ信号が印加されて、各スキャン電極（Ｙ）に相応するスキャンパルスが順に印加される。
【００３４】
各サステイン区間（S１、．．．、S８）では、スキャン電極（Ｙ）とサステイン電極（Ｚ）にサステインパルスが交互に印加されて、アドレス区間（Ａ１、．．．、Ａ８）で壁電荷が形成された放電セルでサステイン放電を起こす。
【００３５】
プラズマディスプレイパネルの輝度は単位フレームに占めるサステイン放電区間（Ｓ１、．．．、Ｓ８）内のサステイン放電パルス個数に比例する。１画像を形成する一つのフレームが、８個のサブフィールドと２５６階調に表現される場合に、各サブフィールドには順番どおり１、２、４、８、１６、３２、６４、１２８の割合でお互いに異なるサステインパルスの数が割り当てされることができる。例えば１３３階調の輝度を得るためには、サブフィールド１区間、サブフィール３区間及びサブフィールド８区間でセルをアドレッシングしてサステイン放電すれば良い。
【００３６】
各サブフィールドに割り当てされるサステイン放電数は、ＡＰＣ（Ａｕｔｏｍａｔｉｃ Ｐｏｗｅｒ Ｃｏｎｔｒｏｌ）段階によるサブフィールドの加重値によって可変的に決まることができる。すなわち、図３では一つのフレームを８個のサブフィールドで分割する場合を例であげて説明したが本発明はそれに限定されず、一つのフレームを形成するサブフィールドの数を設計仕様によって多様に変形することが可能である。例えば、一つのフレームを１２または１６サブフィールド等、８サブフィールド以上に分割してプラズマディスプレイパネルを駆動させることができる。
【００３７】
また各サブフィールドに割り当てされるサステイン放電数はガンマ特性やパネル特性を考慮して多様に変形することが可能である。例えば、サブフィールド４に割り当てされた階調度を８から６に低下させるとともに、サブフィールド６に割り当てされた階調度を３２から３４に増加させることができる。
【００３８】
図４は前記分割された一つのサブフィールドに対して、プラズマディスプレイパネルを駆動させるための駆動信号の一例を示すタイミング図である。
【００３９】
前記サブフィールドは、スキャン電極（Ｙ） 上に正極性璧電荷を形成してサステイン電極（Ｚ）上に負極性璧電荷を形成するためのフリーリセット（ｐｒｅ ｒｅｓｅｔ） 区間、フリーリセット区間によって形成された壁電荷分布を利用して全画面の放電セルを初期化するためのリセット（ｒｅｓｅｔ） 区間、放電セルを選択するためのアドレス（ａｄｄｒｅｓｓ）区間及び選択された放電セルの放電を維持させるためのサステイン（ｓｕｓｔａｉｎ）区間を含む。
【００４０】
リセット区間はセットアップ（ｓｅｔｕｐ）区間及びセットダウン（ｓｅｔｄｏｗｎ）区間からなり、前記セットアップ区間ではすべてのスキャン電極に上昇ランプ波形（Ｒａｍｐ−ｕｐ）が同時印加され、すべての放電セルで微細放電が発生し、これによって壁電荷が生成される。前記セットダウン区間には前記上昇ランプ波形（Ｒａｍｐ−ｕｐ）のピーク電圧より低い正極性電圧で立ち下がる下降ランプ波形（Ｒａｍｐ−ｄｏｗｎ）がすべてのスキャン電極（Ｙ）に同時に印加され、すべての放電セルで消去放電が発生し、これによってセットアップ放電によって生成された壁電荷及び空間電荷の内で不要電荷を消去させる。
【００４１】
アドレス区間にはスキャン電極で負極性のスキャン信号（ｓｃａｎ)が順に印加されて、 これと同時に前記アドレス電極（Ｘ）で正極性のデータ信号（ｄａｔａ）が印加される。このような前記スキャン信号（ｓｃａｎ)とデータ信号（ｄａｔａ）の間の電圧差と前記リセット区間間生成された璧電圧によってアドレス放電が発生されてセルが選択される。一方、前記セットダウン区間とアドレス区間間に前記サステイン電極にはサステイン電圧を維持する信号が印加される。
【００４２】
前記サステイン区間にはスキャン電極とサステイン電極に交互的にサステインパルスが印加され、スキャン電極とサステイン電極の間に面放電形態でサステイン放電が発生する。
【００４３】
図４に示された駆動波形は本発明に係るプラズマディスプレイパネルを駆動させるための信号に対する一実施形態であって、図４に示された波形によって本発明は限定されない。 例えば、図４におけるフリーリセット区間を省略してもよいし、図４に示された駆動信号の極性及び電圧レベルは必要によって変更が可能であり、サステイン放電が完了した後壁電荷消去のための消去信号がサステイン電極に印加されることもできる。また、サステイン信号がスキャン電極（Ｙ）とサステイン電極（Ｚ）の内で何れか一つにのみ印加されてサステイン放電を起こすシングルサステイン（ｓｉｎｇｌｅ ｓｕｓｔａｉｎ）駆動も可能である。
【００４４】
図５Ａ及び図５Ｂは本発明に係るプラズマディスプレイパネルにおけるアドレス駆動装置の構成の第１実施形態を示す回路図である。このアドレス駆動装置はエネルギー回収回路５００及びアドレス駆動部５１０を含む。
【００４５】
図５Ａを参照すれば、エネルギー回収回路５００はアドレス駆動部５１０とエネルギー回収用キャパシター（Ｃｓ）の間に接続されたインダクター（Ｌ）と、エネルギー回収用キャパシター（Ｃｓ）とインダクター（Ｌ）の間に並列に接続された第１及び第３スイッチ（Ｓ１、Ｓ３）と、インダクター（Ｌ）とアドレス駆動部５１０ の間に接続された第２スイッチ（Ｓ２）を備える。アドレス駆動部５１０はエネルギー回収回路５００とパネルキャパシター（Ｃｐ）の間に接続された第４及び第５スイッチ（Ｓ４、Ｓ５）で構成される。パネルキャパシター（Ｃｐ）はアドレス電極ライン（Ｘ） の間に形成される静電容量を等価的に示す。第２スイッチ（Ｓ２）は電圧源（Ｖａ）に接続されて、第５スイッチ（Ｓ５）は基底電圧源（ＧＮＤ）に接続される。エネルギー回収用キャパシター（Ｃｓ）はアドレス放電の時パネルキャパシター（Ｃｐ）に充電された電圧を回収して充電することと同時に充電された電圧をパネルキャパシター（Ｃｐ）に再供給する。この時、エネルギー回収用キャパシター（Ｃｓ）に充電される電圧はアドレス駆動部に入力されるデータによって変化する。すなわち、アドレス駆動部のデータＩＣに入力されるデータの変化量によってエネルギー回収用キャパシター（Ｃｓ）に充電される電圧が変化する。
【００４６】
データ変化量は、データ信号のハイレベル電圧からローレベル電圧への変化、または、ローレベル電圧からハイレベル電圧への変化を示す量である。
【００４７】
また、データ変化量はアドレス電極でデータ信号を印加するためのスイッチのスイッチング回数と等価である。
【００４８】
インダクター（Ｌ）はパネルキャパシター（Ｃｐ）とともに共振回路を形成する。アドレス駆動部の第４スイッチ（Ｓ４）はデータ信号が供給される時、すなわち入力されるデータがオン（ｏｎ）である時ターンオン（ｔｕｒｎ ｏｎ）されて、データパルスが供給されない時、すなわち入力されるデータがオフ（ｏｆｆ）である時ターンオフ（tuｒｎ  ｏff）される。 また、アドレス駆動部の第５スイッチは第４スイッチと反対に、入力されるデータがオフ（ｏｆｆ）である時ターンオン（ｔｕｒｎ ｏｎ）されて、入力されるデータがオン（ｏｎ）である時ターンオフ（ｔｕｒｎ ｏｆｆ）される。
【００４９】
図５Ｂに示すアドレス駆動装置は実質的に図５Ａのアドレス駆動装置と同一である。 
【００５０】
但し、アドレス駆動装置はプラズマディスプレイパネル駆動の時インダクター（Ｌ）と第２スイッチの共通端で電圧が基底電圧以下に低下しないようにインダクター（Ｌ）と第２スイッチの共通端にダイオード（Ｄ）一端が接続されて、ダイオード他端はグラウンドに接続されるように構成される。この場合、ダイオードのカソード端はインダクターと第２スイッチの共通端に接続してアノード端はグラウンドに接続されるように配置される。
【００５１】
図６は図５Ａ及び図５Ｂに示された各スイッチのオン／オフタイミングとプラズマディスプレイパネルに印加されるデータ信号の波形の一例を示す。以下、図６を参照して、図５Ａ及び図５Ｂに示されたアドレス駆動装置の動作を説明する。
【００５２】
Ｔ１期間以前にアドレス電極ライン（Ｘ）の間に充電された電圧、すなわちパネルキャパシター（Ｃｐ）に充電された電圧は０Ｖと仮定する。また、エネルギー回収用キャパシター（Ｃｓ）には所定の電圧が充電されていると仮定する。Ｔ１期間には第１及び第４スイッチ（Ｓ１、Ｓ４）がターンオンされる。この時、放電セルが選択されない場合、すなわちアドレス電極ライン（Ｘ）にデータパルスが供給されない場合、第４スイッチ（Ｓ４）はターンオフ状態を維持する。第１及び第４スイッチ（Ｓ１、Ｓ４）がターンオンされればエネルギー回収用キャパシター（Ｃｓ）から第１スイッチ（Ｓ１）、インダクター（Ｌ）、第４スイッチ（Ｓ４）及びパネルキャパシター（Ｃｐ）につながる電流パスが形成される。この時、インダクター（Ｌ）とパネルキャパシター（Ｃｐ）は直列共振回路を形成してパネルキャパシター（Ｃｐ）にアドレス電圧（Ｖａ）を供給する。
【００５３】
Ｔ２期間には第２スイッチ(Ｓ２）がターンオンする。第２スイッチ（Ｓ２）がターンオンするとアドレス電圧（Ｖａ）がアドレス電極ライン（Ｘ）に供給される。アドレス電極ライン（Ｘ）に供給されるアドレス電圧（Ｖａ）はパネルキャパシター（Ｃｐ）の電圧がアドレス電圧（Ｖａ）以下に低下することを防止してアドレス放電が正常に発生するようにする。Ｔ３期間には第１スイッチ（Ｓ１）がターンオフされてアドレス電極ライン（Ｘ）に供給される電圧がアドレス電圧（Ｖａ）を維持する。
【００５４】
Ｔ４期間には第２スイッチ（Ｓ２）がターンオフされて第３スイッチ（Ｓ３）がターンオンされる。第３スイッチ（Ｓ３）がターンオンされればパネルキャパシター（Ｃｐ）から第４スイッチ（Ｓ４）、インダクター（Ｌ）及び第３スイッチ（Ｓ３）を通じてエネルギー回収用キャパシター（Ｃｓ）につながる電流パスが形成されてパネルキャパシター（Ｃｐ）に充電された電圧がエネルギー回収用キャパシター（Ｃｓ）に回収される。パネルキャパシター（Ｃｐ）が放電しながらパネルキャパシター（Ｃｐ）の電圧が立ち下がるようになって、それと同時にエネルギー回収用キャパシター（Ｃｓ）には電圧が充電される。Ｔ５期間にはＴ１期間の動作を繰り返してアドレスパルスをアドレス電極ライン（Ｘ）に供給する。実際にはアドレス電極ライン（Ｘ）に供給されるデータパルスはＴ１乃至Ｔ４期間の動作が周期的に繰り返されながら得られるようになる。
【００５５】
図７は本発明に係るプラズマディスプレイパネルのアドレス駆動装置の構成の第２実施形態を示す回路図である。図７に示すように、アドレス駆動部７１０は複数のアドレス電極ライン（Ｘ１乃至Ｘｎ）に接続されてエネルギー回収回路７００で出力されるデータ信号を複数のアドレス電極ライン（Ｘ１乃至Ｘｎ）に印加する。アドレス駆動部７１０はそれぞれ所定個数のアドレス電極ラインにデータ信号を印加する複数のデータＩＣを含んで構成することもできる。例えばプラズマディスプレイパネルに３８４０個のアドレス電極ラインが含まれた場合、それぞれ９６個のアドレス電極ラインにデータ信号を印加することができる４０個のデータＩＣを利用してパネルにデータ信号を印加することができる。
【００５６】
図８Ａ及び図８Ｂはアドレス電極ラインに供給されるデータに対する実施形態を示す。以下、図８Ａ及び図８Ｂを参照して図７に示されたアドレス駆動装置の動作を説明する。
【００５７】
図８Ａ及び図８Ｂは第ｎ−１及びｎスキャン電極ライン（Ｙｎ−１、Ｙｎ）に対して供給されるデータを示す。図８Ａは、第ｎ−１スキャン電極ライン（Ｙｎ−１）のすべての放電セルに供給されるデータがオン（ｏｎ）であり、第ｎスキャン電極ライン（Ｙｎ）には第３及び第ｎ−１アドレス電極ライン（Ｘ３ 、Ｘｎ−１）に供給されるデータがオフ（ｏｆｆ）であり残り放電セルはデータがオン（ｏｎ）の場合である。この時、データがオフ（ｏｆｆ）である第３及び第ｎ−１アドレス電極ライン（Ｘ３、Ｘｎ−１）に充電されていた電圧はアドレス駆動部７１０に含まれた第４スイッチ（Ｓ４）の内部ダイオードを経てエネルギー回収用キャパシター（Ｃｓ）に回収される。
【００５８】
図８Ｂは第ｎスキャン電極ライン（Ｙｎ）のすべての放電セルに供給されるデータがオフ（ｏｆｆ）の場合である。この場合、前記したようにデータがオフ（ｏｆｆ）である第１乃至第ｎアドレス電極ライン（Ｘ１乃至Ｘｎ）に充電されていた電圧がエネルギー回収用キャパシター（Ｃｓ）に回収される。
【００５９】
図８Ａの場合、第３及び第ｎ−１アドレス電極ライン（Ｘ３、 Ｘｎ−１）に充電されていた電圧がエネルギー回収用キャパシター（Ｃｓ）に回収されて、第１乃至第ｎアドレス電極ライン（Ｘ１乃至Ｘｎ）に充電されていた電圧がエネルギー回収用キャパシター（Ｃｓ）に回収されるので、アドレス電極ライン（Ｘ１乃至Ｘｎ）に供給されるデータによってエネルギー回収用キャパシター（Ｃｓ）に回収される電圧の差が発生する。
【００６０】
図９Ａ乃至図９Ｃは、データの変化量とエネルギー回収装置のキャパシター（Ｃｓ）に充電される電圧の間の関係を示す図であり、アドレス電圧が６０Ｖの場合を示している。
【００６１】
図９Ａは、アドレス電極ライン（Ｘ１乃至Ｘｎ）に供給されるデータ５２が隔行でオン/オフ変化する時、すなわちデータが１００％変換される時エネルギー回収用キャパシター（Ｃｓ）に充電される電圧５４を示す。図９Ａに示すように、アドレス電極ライン（Ｘ１乃至Ｘｎ）に供給されるデータ５２が隔行で１００％変換される時はアドレス電圧（Ｖａ）の １／２の３０Ｖに近い電圧５８がエネルギー回収用キャパシター（Ｃｓ）に充電される。データが１００％変換されればエネルギー回収用キャパシター（Ｃｓ）に充電される電圧と放電する電圧が均衡を成すから、エネルギー回収用キャパシター（Ｃｓ）にはアドレス電圧（Ｖａ）の１／２の３０Ｖが充電される。
【００６２】
図９Ｂは、アドレス電極ライン（Ｘ１乃至Ｘｎ）に供給されるデータ５６が５０％変換される場合において、エネルギー回収用キャパシター（Ｃｓ）に充電される電圧５８を示す。図９Ｂに示すように、アドレス電極ライン（Ｘ１乃至Ｘｎ）に供給されるデータが５０％ 変換されれば、エネルギー回収用キャパシター（Ｃｓ）には約４０Ｖの電圧が充電される。すなわち、図９Ｂの場合、図９Ａの場合よりアドレスデータの変化が少ないため、エネルギー回収用キャパシター（Ｃｓ）に充電された電圧が放電する回数が減少してエネルギー回収用キャパシター（Ｃｓ）に充電される電圧５８が図９Ａの充電電圧５４より１０Ｖ程度上昇する。
【００６３】
図９Ｃは、アドレス電極ライン（Ｘ１乃至Ｘｎ）に供給されるデータ６０がフルホワイト（ｆｕｌｌ ｗｈｉｔｅ）であり、このデータ６０が続いてオン（ｏｎ）の場合に、エネルギー回収用キャパシター（Ｃｓ）に充電される電圧６２を示す。アドレス電極ライン（Ｘ１乃至Ｘｎ）にフルホワイトのデータが供給される場合、すなわちデータの変化がない場合にはエネルギー回収用キャパシター（Ｃｓ）にアドレス電圧（Ｖａ）である６０Ｖに近い電圧が充電される。アドレス電極ライン（Ｘ１乃至Ｘｎ）に供給されるデータの変化がない場合、パネルキャパシター（Ｃｐ）に充電された電圧がエネルギー回収用キャパシター（Ｃｓ）に回収されるが、エネルギー回収用キャパシター（Ｃｓ）に充電された電圧がパネルキャパシター（Ｃｐ）に放電しない。したがって図９Ｃに示すように、供給されるデータの変化がない場合、エネルギー回収用キャパシター（Ｃｓ）の電圧がアドレス電圧（Ｖａ）まで増加するようになる。
【００６４】
前記したように、 本発明に係るアドレス駆動装置は供給されるデータによってエネルギー回収回路の動作有無が決定され、エネルギー回収用キャパシター（Ｃｓ）に充電された電圧が変化するので、データの変化がない場合にもエネルギー回収回路のスイッチングによって電力を消費することを防止することができる。
【００６５】
図１０は本発明に係るアドレス駆動装置によって生成されたデータ信号の形態を概略的に示す。図１０を参照すると、 本発明に係るデータ信号はパネルキャパシター（Ｃｐ）に電圧が充電されるＴ１期間、アドレス電圧（Ｖａ）がアドレス電極ライン（Ｘ）に供給されるＴ２期間、パネルキャパシター（Ｃｐ）に充電された電圧を回収してエネルギー回収用キャパシター（Ｃｓ）に充電させるＴ３期間で分けられる。また、パネルキャパシター（Ｃｐ）に充電された電圧を回収してエネルギー回収用キャパシター（Ｃｓ）に充電させるＴ３期間直後に、パネルキャパシター（Ｃｐ）に電圧が充電されるＴ１期間が連続的（ｓｅｑｕｅｎｔｉａｌｌｙ）につながる。すなわち、データ信号はＴ３期間に第１電圧（Ｖ１)から第２電圧（Ｖ２）まで漸進的に立ち下がる第１信号と、第１信号に連続して第２電圧から第１電圧と実質的に同一な第３電圧（Ｖ３）まで漸進的に上昇する第２信号を含む。
【００６６】
図１１Ａ及び図１１Ｂは本発明に係るプラズマディスプレイパネルのアドレス駆動装置の構成に対する第３実施形態を示す回路図である。図１１Ａ及び図１１Ｂに示されたアドレス駆動装置はエネルギー回収回路１１００及びアドレス駆動部１１１０を含む。
【００６７】
先ず、図１１Ａを参照すれば、エネルギー回収回路１１００はアドレス駆動部１１１０とエネルギー回収用キャパシター（Ｃｓ）の間に接続されたインダクター（Ｌ）と、エネルギー回収用キャパシター（Ｃｓ）とインダクター（Ｌ）の間に直列に接続された第１スイッチ（Ｓ１）と、インダクター（Ｌ）とアドレス駆動部１１１０の間に接続された第２スイッチ（Ｓ２）を備える。アドレス駆動部１１１０はエネルギー回収回路１１００とパネルキャパシター（Ｃｐ）の間に接続された第３及び第４スイッチ（Ｓ３、Ｓ４）で構成される。パネルキャパシター（Ｃｐ）はアドレス電極ライン（Ｘ）の間に形成される静電容量を等価的に示す。第２スイッチ（Ｓ２）は電圧源（Ｖａ）に接続されて、第４スイッチ（Ｓ４）は基底電圧源（ＧＮＤ）に接続される。
【００６８】
図１１Ａに示されたエネルギー回収回路１１００では、図５に示されたエネルギー回収回路５００での第１及び第２スイッチ（Ｓ１、Ｓ２）が第１スイッチ（Ｓ１）一つに統合されている。本発明に係るエネルギー回収回路では共振が連続的に発生するから、パネルへのエネルギー供給のためのスイッチとパネルからのエネルギー回収のためのスイッチを分離する必要がないので、図１１Ａに示すようにエネルギー回収及び供給のためのスイッチを第１スイッチ（Ｓ１）で統合してエネルギー回収及び供給時に第１スイッチ（Ｓ１）をターンオンさせる。
【００６９】
図１１Ａに示された第１スイッチ（Ｓ１）は、図１１Ｂに示すように、第１スイッチの一端がエネルギー回収用キャパシター（Ｃｓ）に接続されて第１スイッチの他端がグラウンドに接続されるように構成することもできる。このような第１スイッチはパネルからエネルギー回収の時にターンオンされる。
【００７０】
前記したように、アドレス電極ライン（Ｘ１乃至Ｘｎ）はそれぞれ所定個数のアドレス電極ラインに接続された複数のデータＩＣによってデータ信号が印加される。複数のデータＩＣがすべて一つのエネルギー回収回路に接続された場合、多数のデータＩＣに供給されるデータの変化量によって少数のデータＩＣの駆動効率が低下される場合がある。 例えば、複数のデータＩＣの内で一つのデータＩＣだけ供給されるデータ変化量が多く残りはデータ変化量がほとんどない場合、多数のデータＩＣのデータ変化量によってエネルギー回収回路のキャパシター（Ｃｓ）に充電される電圧はほとんどＶａ近くまで上昇する。その場合、供給されるデータの変化量が多いデータＩＣは、エネルギー回収動作が必要であるにもかかわらずキャパシター（Ｃｓ）充電電圧の上昇によってエネルギー回収が難しくなって、駆動効率が低下するようになる。
【００７１】
したがって、アドレス電極ライン（Ｘ１乃至Ｘｎ）にデータ信号を印加する複数のデータＩＣに２以上のエネルギー回収回路を連結して、各データＩＣが供給されるデータの変化量によって最適の駆動効率を持つようにすることが望ましい。
【００７２】
図１２は本発明に係るプラズマディスプレイパネルのアドレス駆動装置の構成の第４実施形態を示す回路図である。このアドレス駆動装置では、データＩＣ（１２３０、１２４０、１２５０）それぞれにお互いに異なるエネルギー回収回路（１２００、１２１０、１２２０）を連結している。データＩＣ（１２３０、１２４０、１２５０）それぞれは所定個数のアドレス電極ラインにデータ信号を印加する。
【００７３】
エネルギー回収回路（１２００、１２１０、１２２０）のキャパシター（Ｃｓａ、Ｃｓｂ、Ｃｓｃ）に充電される電圧は、それに接続されたデータＩＣ（１２３０、１２４０、１２５０）に供給されるデータの変化量によってお互いに相異する。すなわち、データＩＣ（１２３０、１２４０、１２５０）に供給されるデータの変化量が大きいほどそれに接続されたエネルギー回収回路（１２００、１２１０、１２２０）のキャパシター（Ｃｓａ、Ｃｓｂ、Ｃｓｃ）に充電される電圧が低くなる。例えば、第１データＩＣ１２３０に供給されるデータの変化量が第２データＩＣ１２４０に供給されるデータの変化量より少ない場合、第１データＩＣ１２３０に接続されたエネルギー回収回路１２００のキャパシター（Ｃｓａ）に充電される電圧が第２データＩＣ１２４０に接続されたエネルギー回収回路１２１０のキャパシター（Ｃｓｂ）に充電される電圧より高くなる。
【００７４】
エネルギー回収回路（１２００、１２１０、１２２０）及びデータＩＣ（１２３０、１２４０、１２５０）の動作と、データＩＣ（１２３０、１２４０、１２５０）それぞれに供給されるデータの変化量とそれに接続されたエネルギー回収回路（１２００、１２１０、１２２０）のキャパシター（Ｃｓａ、Ｃｓｂ、Ｃｓｃ）に充電される電圧の間の関係は、図５乃至図１０を参照してすでに説明したので省略する。
【００７５】
図１２に示すように、データＩＣ（１２３０、１２４０、１２５０）それぞれに一つのエネルギー回収回路（１２００、１２１０、１２２０）を連結してデータＩＣ（１２３０、１２４０、１２５０）それぞれに供給されるデータの変化量によってそれに接続されたエネルギー回収回路（１２００、１２１０、１２２０）のキャパシター（Ｃｓａ、Ｃｓｂ、Ｃｓｃ）に充電される電圧が相異するようにすることで、データＩＣ（１２３０、１２４０、１２５０）それぞれを最適駆動させることができる。
【００７６】
図１３は本発明に係るプラズマディスプレイパネルのアドレス駆動装置の構成に対する第５実施形態を示す回路図である。このアドレス駆動装置では、アドレス電極ライン（Ｘ１乃至Ｘｎ）にデータ信号を印加する複数のデータＩＣを２以上のグループで分けて、各グループのデータＩＣに一つのエネルギー回収回路を連結している。
【００７７】
図１３を参照すれば、第１、第２及び第３データＩＣ（１３２０、１３３０、１３４０）に一つのエネルギー回収回路１３００を連結して、第ｎ−１及び第ｎデータＩＣ（１３５０、１３６０）に一つのエネルギー回収回路１３１０を連結する。それによって、第１、第２及び第３データＩＣ（１３２０、１３３０、１３４０）に供給されるデータの変化量によってそれに接続されたエネルギー回収回路１３００のキャパシター（Ｃｓａ）に充電される電圧が変化し、第ｎ−１及び第ｎデータＩＣ（１３５０、１３６０）に供給されるデータの変化量によってそれに接続されたエネルギー回収回路１３１０のキャパシター（Ｃｓｂ）に充電される電圧が変化する。第１、第２及び第３データＩＣ（１３２０、１３３０、１３４０）に接続されたエネルギー回収回路１３００のキャパシター（Ｃｓａ）に充電される電圧と第ｎ−１及び第ｎデータＩＣ（１３５０、１３６０）に接続されたエネルギー回収回路１３１０のキャパシター（Ｃｓｂ）に充電される電圧がデータ変化量によって相異するようになる。
【００７８】
エネルギー回収回路（１３００、１３１０）及びデータＩＣ（１３２０、１３３０、１３４０、１３５０）の動作と、データＩＣ（１３２０、１３３０、１３４０、１３５０）に供給されるデータの変化量とそれに接続されたエネルギー回収回路（１３００、１３１０）のキャパシター（Ｃｓａ、Ｃｓｂ）に充電される電圧の間の関係は、図５乃至図１０を参照してすでに説明したので省略する。
【００７９】
なお、複数のデータが分けられるグループの個数、すなわちエネルギー回収回路の個数及び各グループに属するデータＩＣの個数は変更可能である。
【図面の簡単な説明】
【００８０】
【図１】本発明に係るプラズマディスプレイパネル構造に対する一つの実施形態を示す斜視図。
【図２】プラズマディスプレイパネルの電極に対する一つの実施形態を示す図。
【図３】一つのフレーム（ｆｒａｍｅ）を複数のサブフィールド（ｓｕｂｆｉｅｌｄ）に分けてプラズマディスプレイパネルを時分割駆動させる方法に対する一つの実施形態を示すタイミング図。
【図４】プラズマディスプレイパネルを駆動させるための駆動信号に対する一つの実施形態を示すタイミング図。
【図５Ａ】本発明に係るプラズマディスプレイパネルのアドレス駆動装置の構成に対する第１実施形態を示す回路図。
【図５Ｂ】本発明に係るプラズマディスプレイパネルのアドレス駆動装置の構成に対する第１実施形態を示す回路図。
【図６】図５に示されたスイッチのオン／オフタイミングとパネルに印加されるデータ信号の波形に対する一つの実施形態を示す図。
【図７】本発明に係るプラズマディスプレイパネルのアドレス駆動装置の構成に対する第２実施形態を示す回路図。
【図８Ａ】アドレス電極ラインに供給されるデータに対する実施形態を示す図。
【図８Ｂ】アドレス電極ラインに供給されるデータに対する実施形態を示す図。
【図９Ａ】データの変化量とエネルギー回収装置のキャパシターに充電される電圧の間の関係を示すための図。
【図９Ｂ】データの変化量とエネルギー回収装置のキャパシターに充電される電圧の間の関係を示すための図。
【図９Ｃ】データの変化量とエネルギー回収装置のキャパシターに充電される電圧の間の関係を示すための図。
【図１０】本発明に係るアドレス駆動装置によって生成されたデータ信号の形態を概略的に示す図。
【図１１Ａ】本発明に係るプラズマディスプレイパネルのアドレス駆動装置の構成に対する第３実施形態を示す回路図。
【図１１Ｂ】本発明に係るプラズマディスプレイパネルのアドレス駆動装置の構成に対する第３実施形態を示す回路図。
【図１２】本発明に係るプラズマディスプレイパネルのアドレス駆動装置の構成に対する第４実施形態を示す回路図。
【図１３】本発明に係るプラズマディスプレイパネルのアドレス駆動装置の構成に対する第５実施形態を示す回路図。
【図１】
2008015533.tif 000003
【図２】
2008015533.tif 000004
【図３】
2008015533.tif 000005
【図４】
2008015533.tif 000006
【図５Ａ】
2008015533.tif 000007
【図５Ｂ】
2008015533.tif 000008
【図６】
2008015533.tif 000009
【図７】
2008015533.tif 000010
【図８Ａ】
2008015533.tif 000011
【図８Ｂ】
2008015533.tif 000012
【図９Ａ】
2008015533.tif 000013
【図９Ｂ】
2008015533.tif 000014
【図９Ｃ】
2008015533.tif 000015
【図１０】
2008015533.tif 000016
【図１１Ａ】
2008015533.tif 000017
【図１１Ｂ】
2008015533.tif 000018
【図１２】
2008015533.tif 000019
【図１３】
2008015533.tif 000020